(57)【要約】【課題】  コンパクトな構成を確保しつつ、内蔵の電子素子に高い耐振性を与えるようにした電子機器を提供する。【解決手段】  ハードディスク４０が支持されている支持板３０と筐体１０の底壁１１との間に、底壁１１の厚さ方向に沿い生ずる振動を防振する複数のブッシュ式防振部材２０ａと、これら各ブッシュ式防振部材２０ａと支持板３０の各隅角部３１との間にそれぞれ介装されて支持板３０の面方向に沿い生ずる振動を防振する各ワイヤ式防振部材２０ｂとを、底壁１１の厚さ方向に沿い一体となるように介装する。【選択図】    図１
2006161985.tif 000002
【特許請求の範囲】
【請求項１】
筐体と、
この筐体内にてその壁上に防振手段を介し支持される支持板と、
前記筐体内にて前記支持板上に支持される電子素子とを備える電子機器において、
前記防振手段は、
前記筐体の前記壁からその厚さ方向に沿い前記支持板側へ突出するように前記壁に設けられて前記支持板の前記厚さ方向に沿い生ずる振動を防振する複数のブッシュ式防振部材と、
これら各ブッシュ式防振部材と前記支持板のうち当該各ブッシュ式防振部材に対する各対応部との間にそれぞれ介装されて前記支持板の面方向に沿い生ずる振動を防振する各ワイヤ式防振部材とを備えることを特徴とする電子機器。
【請求項２】
前記各ワイヤ式防振部材は、それぞれ、前記各対応のブッシュ式防振部材と前記支持板の前記各対応部との間にて、前記支持板の面方向に沿い互いに外方へ向けて湾曲する複数の弾性ワイヤでもって構成されていることを特徴とする請求項１に記載の電子機器。
【請求項３】
前記支持板に前記電子素子とは反対側から設けられた錘を備えることを特徴とする請求項１或いは２に記載の電子機器。
【発明の詳細な説明】
【技術分野】
【０００１】
本発明は、電子機器に関するものである。
【背景技術】
【０００２】
従来、この種の電子機器としては、例えば、下記特許文献１に開示された電子装置がある。この電子装置においては、筐体内に、ハードディスク等の記憶装置及びこの記憶装置のための緩衝装置が内蔵されている。
【０００３】
ここで、当該緩衝装置は、記憶装置をシリコン系の緩衝材を介して固定用金具に取り付け、この固定用金具をワイヤーロープをコイル状に巻いた緩衝材でもって相反する方向から引張り固定することにより、当該記憶装置に対する外部からの振動及び衝撃を緩和して、記憶装置を保護する。
【特許文献１】特開２００２−３３４５７１号公報
【発明の開示】
【発明が解決しようとする課題】
【０００４】
ところで、上記電子装置の緩衝装置では、記憶装置と固定用金具との間に取り付けられたシリコン系緩衝材と、固定用金具の両側に配設されたコイル状緩衝材とが、上述のごとく、互いに別々の方向から取り付けられている。このため、固定金具に取り付けられた記憶装置が、固定用金具の両側に配設されたコイル状緩衝材に邪魔されて、筐体内に収納され得ないという不具合を招く。これに対し、筐体を大きくすると、電子装置としてのコンパクト化の妨げになるという不具合を招く。
【０００５】
そこで、本発明は、以上のようなことに対処するため、コンパクトな構成を確保しつつ、内蔵の電子素子に高い耐振性を与えるようにした電子機器を提供することを目的とする。
【課題を解決するための手段】
【０００６】
上記課題の解決にあたり、本発明に係る電子機器は、請求項１の記載によれば、
筐体（１０）と、
この筐体内にてその壁（１１）上に防振手段（２０）を介し支持される支持板（３０）と、
筐体内にて支持板上に支持される電子素子（４０）とを備える。
【０００７】
このような電子機器において、上記防振手段は、
筐体の壁からその厚さ方向に沿い支持板側へ突出するように壁に設けられて支持板の上記厚さ方向に沿い生ずる振動を防振する複数のブッシュ式防振部材（２０ａ）と、
これら各ブッシュ式防振部材と支持板のうち当該各ブッシュ式防振部材に対する各対応部（３１）との間にそれぞれ介装されて支持板の面方向に沿い生ずる振動を防振する各ワイヤ式防振部材（２０ｂ）とを備えることを特徴とする。
【０００８】
これによれば、各ブッシュ式防振部材が壁の厚さ方向に沿い生ずる振動を防振し、各ワイヤ式防振部材が支持板の面方向に沿い生ずる振動を防振する。従って、電子素子が、支持板を介し、各ブッシュ式防振部材及び各ワイヤ式防振部材により、上記厚さ方向に沿い生ずる振動及び上記面方向に沿い生ずる振動から確実に保護され得る。
【０００９】
ここで、上述のごとく、防振手段は、互いに対応するブッシュ式防振部材及びワイヤ式防振部材ごとに、筐体の壁と支持板との間において、上記厚さ方向に沿い一体に設けられている。従って、上述した電子素子に対する防振にあたり、防振手段は、筐体の壁と支持板との間に介在するにすぎない。このため、筐体を大きくすることなく、当該筐体内に、電子素子及び防振手段を収容することができる。その結果、電子機器をコンパクトに構成しつつ電子素子の耐震性を高く維持できる。
【００１０】
また、本発明では、請求項２の記載によれば、請求項１に記載の電子機器において、
上記各ワイヤ式防振部材は、それぞれ、上記各対応のブッシュ式防振部材と上記支持板の各対応部との間にて、支持板の面方向に沿い互いに外方へ向けて湾曲する複数の弾性ワイヤでもって構成されていることを特徴とする。
【００１１】
これにより、支持板の面方向に沿い発生する振動がより一層確実に防振され、その結果、請求項１に記載の発明の作用効果がより一層確実に達成され得る。
【００１２】
また、本発明では、請求項３の記載によれば、請求項１或いは２に記載の電子機器において、上記支持板に電子素子とは反対側から設けられた錘（５０）を備えることを特徴とする。
【００１３】
これにより、錘が電子素子の振動周波数を共振周波数からずらす役割を果たすこととなり、その結果、電子素子の共振振動の発生を抑制し得る。よって、請求項１或いは２に記載の発明の作用効果をより一層向上できる。
【００１４】
なお、上記各手段の括弧内の符号は、後述する実施形態に記載の具体的手段との対応関係を示すものである。
【発明を実施するための最良の形態】
【００１５】
以下、本発明の各実施形態を図面により説明する。
（第１実施形態）
図１及び図２は、本発明が適用される電子機器の第１実施形態を示している。この電子機器は、直方体形状の筐体１０と、この筐体１０に内蔵される防振装置２０、支持板３０及びハードディスク４０とを備えている。
【００１６】
支持板３０は、防振装置２０を介し、筐体１０の底壁１１と並行となるようにこの底壁１１に設けられている。ハードディスク４０は、支持板３０にその上面側から支持されている。
【００１７】
次に、本発明の要部を構成する防振装置２０の構成について詳細に説明する。防振装置２０は、４つのブッシュ式防振部材２０ａと、これら各防振部材２０ａにそれぞれ対応する各ワイヤ式防振部材２０ｂとを備えている。
【００１８】
各ブッシュ式防振部材２０ａは、それぞれ、筐体１０の底壁１１からその厚さ方向に沿い支持板３０の各隅角部３１側へ突出するように、底壁１１に設けられている。当該各防振部材２０ａは、共に、同一の構成を有するので、各防振部材２０ａのうちの一つにつき、その構成を説明する。
【００１９】
防振部材２０ａは、ばね材料でもってブッシュ形状に形成されている。この防振部材２０ａは、環状溝部２１及び貫通穴部２２を備えており、環状溝部２１は、防振部材２０ａの外周壁の軸方向中間部位にその周方向に沿い環状に形成されている。また、貫通穴部２２は、防振部材２０ａに同心的に形成されている。
【００２０】
このように構成した防振部材２０ａは、その環状溝部２１にて、筐体１０の底壁１１のうち支持板３０の一隅角部３１に対する対応部に形成した取り付け穴部１１ａに同軸的に嵌装されている。残りの各防振部材２０ａも、実質的に同様に、支持板３０の残りの各隅角部３１に対する対応部に形成した各取り付け穴部１１ａに同軸的に嵌装されている。これにより、各防振部材２０ａは、底壁１１の厚さ方向に沿い生ずる振動を防振する役割を果たす。
【００２１】
各ワイヤ式防振部材２０ｂは、それぞれ、各対応の防振部材２０ａとこれら各防振部材２０ａに対する支持板３０の各対応隅角部３１との間にて同軸的に取り付けられている。これら各防振部材２０ｂは、共に、同一の構成を有するので、当該各防振部材２０ｂの一つを例にとりその構成につき説明する。
【００２２】
防振部材２０ｂは、両着座台２３、２４及び４本のワイヤ２５を備えている。着座台２３は、対応の防振部材２０ａ上に載置されており、この着座台２３には、ねじ２３ａが対応の防振部材２０ａの貫通穴部２２を通して締着されている。これにより、着座台２３は、対応の防振部材２０ａに同軸的に支持されている。
【００２３】
一方、着座台２４は、着座台２３と同軸的に位置するように、支持板３０のうち上記対応の防振部材２０ａに対応する隅角部３１にねじ２４ａでもって締着されている。
【００２４】
各ワイヤ２５は、着座台２３から防振部材２０ａの軸方向に沿い対応の着座台２４に向け延出しており、これら各ワイヤ２５は、その延出端部にて、対応の着座台２４に固着されている。ここで、各ワイヤ２５は、支持板３０の面方向に沿い互いに外方へ向けて防振部材２０ａの半径方向に凸に湾曲する形状にて等角度間隔にて形成されている。残りの各防振部材２０ｂも、同様に、残りの各対応防振部材２０ａとこれら各防振部材２０ａに対する支持板３０の残りの各対応隅角部３１との間にて同軸的に取り付けられている。これにより、各防振部材２０ｂは、支持板３０の面方向に沿い生ずる振動を防振する役割を果たす。
【００２５】
このように構成した本第１実施形態において、筐体１０に外部から振動が加わると、この振動のうち、筐体１０の底壁１１の厚さ方向に沿い生ずる振動は、各ブッシュ式防振部材２０ａにより、防振される。また、支持板３０の面方向に沿い生ずる振動は、各ワイヤ式防振部材２０ｂにより、防振される。
【００２６】
以上のように、筐体１０の底壁１１の厚さ方向に沿い生ずる振動は、各ブッシュ式防振部材２０ａにより防振され、支持板３０の面方向に沿い生ずる振動は、各ワイヤ式防振部材２０ｂにより防振されることにより、外部からの振動よりハードディスク４０を有効に防振することができる。
【００２７】
ここで、各ブッシュ式防振部材２０ａと各ワイヤ式防振部材２０ｂとは、互いに対応する両ブッシュ式防振部材２０ａ、ワイヤ式防振部材２０ｂ毎に、上述のごとく、ハードディスク４０が支持されている支持板３０と筐体１０の底壁１１との間において、底壁１１の厚さ方向に沿い一体となるように介装されている。従って、両防振部材を個別に取り付ける場合と比較してコンパクトな構成を確保しつつ、ハードディスク４０に高い耐振性を与えることができる。
【００２８】
また、ハードディスク４０への振動の伝達を低く抑えることができるので、振動が大きな使用環境においても、耐振性の高い高価な記憶媒体でなく安価なハードディスクを採用することができ、電子機器のコストダウンを図ることができる。
（第２実施形態）
図３は、本発明の第２実施形態を示している。この第２実施形態では、上記第１実施形態において、錘５０が付加的に採用された構成となっている。錘５０は、支持板３０を介しハードディスク４０に対向するように当該支持板３０の下面側に装着されている。当該錘５０は、その自重により、ハードディスク４０の振動周波数を共振周波数からずらす役割を果たす。その他の構成は、上記第１実施形態にて述べたものと同様の構成となっている。
【００２９】
このように構成した本第２実施形態において、筐体１０に外部から振動が加わると、この振動のうち、筐体１０の底壁１１の厚さ方向に沿い生ずる振動は、各ブッシュ式防振部材２０ａにより、防振される。また、支持板３０の面方向に沿い生ずる振動は、各ワイヤ式防振部材２０ｂにより、防振される。
【００３０】
ここで、支持板３０の下面側にハードディスク４０の振動周波数を共振周波数からずらすための錘５０が取り付けられているので、ハードディスク４０が外部からの振動により共振振動をおこすことがない。
【００３１】
以上のように、筐体１０の底壁１１の厚さ方向に沿い生ずる振動は、各ブッシュ式防振部材２０ａにより防振され、支持板３０の面方向に沿い生ずる振動は、各ワイヤ式防振部材２０ｂにより防振されるとともに、支持板３０の下面側に取り付けられた錘５０によりハードディスク４０の振動周波数が共振周波数からずらされることにより、外部からの振動よりハードディスク４０をより一層確実に防振することができる。その他の作用効果は、上記第１実施形態と同様である。
【００３２】
なお、本発明の実施にあたり、上記各実施形態に限ることなく、次のような種々の変形例が挙げられる。
（１）本発明は、防振される電子素子としてハードディスクに適用することに限ることなく、その他振動対策の必要な各種の電子素子にも適用できる。
（２）ねじ２３ａにより各ブッシュ式防振部材２０ａと各ワイヤ式防振部材２０ｂとを底壁１１の厚さ方向に沿い一体となるように締着して、支持板３０に支持されているハードディスク４０を防振することに限らず、各ブッシュ式防振部材２０ａと各ワイヤ式防振部材２０ｂとを一体成形した複数の防振部材を筐体１０の底壁１１と支持板３０との間に介装してこの支持板３０に取り付けられたハードディスク４０を防振してもよい。
（３）上述した第１又は第２実施形態とは異なり、図１又は図３にて示す電子機器の上下を反転させて配置して、ハードディスク４０を筐体１０の底壁１１から防振装置２０及び支持板３０を介し垂下するように支持して、ハードディスク４０を外部からの振動より防振してもよい。その際、ブッシュ式防振部材２０ａは、底壁１１の厚さ方向（図１又は図３で図示上下方向）に沿い生ずる振動を防振し、ワイヤ式防振部材２０ｂは、支持板３０の面方向（図１又は図３で図示左右方向）に沿い生ずる振動を防振する。
【００３３】
また、電子機器を９０°回転させて配置して、ハードディスク４０を筐体１０の底壁１１から防振装置２０及び支持板３０を介し横方向に突出するように支持して、ハードディスク４０を外部からの振動より防振してもよい。その際、ブッシュ式防振部材２０ａは、底壁１１の厚さ方向（図１又は図３で図示左右方向）に沿い生ずる振動を防振し、ワイヤ式防振部材２０ｂは、支持板３０の面方向（図１又は図３で図示上下方向）に沿い生ずる振動を防振する。
【図面の簡単な説明】
【００３４】
【図１】本発明が適用される電子機器の第１実施形態を示す概略断面図である。
【図２】図１の筐体内部を示す概略斜視図である。
【図３】本発明が適用される電子機器の第２実施形態を示す概略断面図である。
【符号の説明】
【００３５】
１０…筐体、１１…底壁、２０…防振装置、２０ａ…ブッシュ式防振部材、２０ｂ…ワイヤ式防振部材、３０…支持板、３１…隅角部、４０…ハードディスク、５０…錘。
【図１】
2006161985.tif 000003
【図２】
2006161985.tif 000004
【図３】
2006161985.tif 000005